(57)【要約】【課題】本発明は、上記の問題に鑑み、気化量を増加させつつ、空気清浄機の本体を大型化する必要なくコンパクトな形状にできることで、デザイン性の向上や置き場所に困らない空気清浄機を提供することを目的とする。【解決手段】本発明は、空気が流通するフィルタユニットと、このフィルタユニットの下流側に設けられたファンモータと、フィルタユニットとファンモータとの間に配置され、空気に加湿する気化フィルタと、気化フィルタに水を供給する手段とを有する空気清浄機において、気化フィルタは、吸水性を有した複数の材質や部品から構成され、その材質や部品は吸水性が異なることを特徴とする。【選択図】図３
2008064407.tif 000002
【特許請求の範囲】
【請求項１】
空気が流通するフィルタユニットと、このフィルタユニットの下流側に設けられたファンモータと、前記フィルタユニットと前記ファンモータとの間に配置され、前記空気に加湿する気化フィルタと、前記気化フィルタに水を供給する手段とを有する空気清浄機において、前記気化フィルタは、吸水性を有した複数の材質から構成され、その材質は吸水性が異なることを特徴とする空気清浄機。
【請求項２】
空気が流通するフィルタユニットと、このフィルタユニットの下流側に設けられたファンモータと、前記フィルタユニットと前記ファンモータとの間に配置され、前記空気に加湿する気化フィルタと、前記気化フィルタに水を供給する手段とを有する空気清浄機において、前記気化フィルタは、吸水性を有した複数の部品から構成され、その部品の材質は同一のものであり、構造が異なることで、吸水性が異なることを特徴とする空気清浄機。
【請求項３】
空気が流通するフィルタユニットと、このフィルタユニットの下流側に設けられたファンモータと、このファンモータの下流側に設けられた前記空気に加湿する気化フィルタと、前記気化フィルタに水を供給する手段とを有する空気清浄機において、前記気化フィルタは、吸水性を有した複数の材質から構成され、その材質は吸水性が異なることを特徴とする空気清浄機。
【請求項４】
空気が流通するフィルタユニットと、このフィルタユニットの下流側に設けられたファンモータと、このファンモータの下流側に設けられた前記空気に加湿する気化フィルタと、前記気化フィルタに水を供給する手段とを有する空気清浄機において、前記気化フィルタは、吸水性を有した複数の部品から構成され、その部品の材質は同一のものであり、構造が異なることで、吸水性が異なることを特徴とする空気清浄機。
【請求項５】
請求項１または３に記載の空気清浄機において、前記気化フィルタは、異なる吸水性を有した複数の材質から構成され、その材質のうち、少なくとも一つ、または、全ての材質において、その材質からなる複数の部品を有していることを特徴とする空気清浄機。
【請求項６】
請求項２または４に記載の空気清浄機において、前記気化フィルタは、異なる吸水性を有した複数の部品から構成され、その部品のうち、少なくとも一つ、または、全ての部品において、その部品を複数個有していることを特徴とする空気清浄機。
【発明の詳細な説明】
【技術分野】
【０００１】
本発明は、空気中の埃や塵等の微粒子、臭いやホルムアルデヒド等の成分物質を除去する空気清浄機に関する。
【背景技術】
【０００２】
空気清浄機は、例えば、特開２００１−７９４４４号公報（特許文献１）に示すように、空気中の微粒子に帯電させるイオン化装置と、集塵用の濾材と活性炭とからなる集塵脱臭フィルタとを有する。
【０００３】
また、別の空気清浄機は、空気が流通するフィルタユニットと、このフィルタユニットの下流側に設けられたファンモータと、フィルタユニットとファンモータとの間に設けた気化フィルタと、イオン発生手段と、気化フィルタに供給される水の補充を行なうカートリッジ給水タンクを有する。そして、気化フィルタは吸水性を有した単一の材質および単一の部品で構成されている。このため気化フィルタの材質などで性能が決まり、例えば水を吸い上げる時間や到達する高さに限界が生じる。また、気化フィルタはその構造上風を通過させ、表面の気化を促がすもので、風の通り道の抵抗をできる限り低く抑える必要がある。
【０００４】
よって、気化量を増加させるには、風の当たる面積を確保する必要があるが、高さには制限があるため横方向に気化フィルタを大きくする方法が一般的である。また、気化フィルタの厚みを増大することで、横方向に増大するとの同様の効果が生じるが、横方向への増大と比べて効率はやや低下する。
【０００５】
上記のことより、気化量を増加するには、空気清浄機の本体の横幅を大きくする方法がとられており、本体の大型化はさけられない。
【０００６】
【特許文献１】特開２００１−７９４４４号公報
【発明の開示】
【発明が解決しようとする課題】
【０００７】
空気清浄機の気化フィルタは、加湿する目的で使用されているが、気化量（加湿量）を増加することは、すなわち空気清浄機の横幅を大きくすることであり、これは反することである。空気清浄機の横幅が大きくなると設置面積も大きくなるため、家庭内の置き場所も限られた所となる。
【０００８】
本発明は、上記の問題に鑑み、気化量を増加させつつ、空気清浄機の本体を大型化する必要なくコンパクトな形状にできることで、デザイン性の向上や置き場所に困らない空気清浄機を提供することを目的とする。
【課題を解決するための手段】
【０００９】
本発明は、空気が流通するフィルタユニットと、このフィルタユニットの下流側に設けられたファンモータと、フィルタユニットとファンモータとの間に配置され、空気に加湿する気化フィルタと、気化フィルタに水を供給する手段とを有する空気清浄機において、気化フィルタは、吸水性を有した複数の材質や部品から構成され、その材質や部品は吸水性が異なることを特徴とする。
【００１０】
また、本発明は、空気が流通するフィルタユニットと、このフィルタユニットの下流側に設けられたファンモータと、このファンモータの下流側に設けられた前記空気に加湿する気化フィルタと、前記気化フィルタに水を供給する手段とを有する空気清浄機において、気化フィルタは、吸水性を有した複数の材質や部品から構成され、その材質や部品は吸水性が異なることを特徴とする。
【発明の効果】
【００１１】
本発明によれば、気化フィルタは、吸水性を有した複数の材質や部品から構成され、その材質や部品は吸水性が異なるため、吸水性が高い材質や部品が水を吸い上げるため、他の材質や部品へ水を供給することが可能である。これにより、気化量を増加させつつ、空気清浄機の本体を大型化する必要なくコンパクトな形状にできることで、デザイン性の向上や置き場所に困らない空気清浄機を提供できる。
【発明を実施するための最良の形態】
【００１２】
本発明の実施例について、図面を引用して説明する。
【００１３】
まず、空気清浄機の概要について、図１を引用して述べる。
【００１４】
空気清浄機本体１０１は、主部枠体１０２と後部枠体１０３を有する。主部枠枠１０２の前面には、前パネル１０４が取り付けられる。
【００１５】
空気清浄機本体１０１は、内部にフィルタユニット１０５、気化フィルタユニット１０６、ファンモータ１０７を備える。フィルタユニット１０５、気化フィルタユニット１０６は、主部枠１０２側に位置する。ファンモータ１０７は、後部枠体１０３側に位置する。ファンモータ１０７は、ターボファン１０７ａ、電動機１０７ｂを有する。
【００１６】
後部枠体１０３は、内部にファンケーシング１０８を有する。ファンケーシング１０８内にファンモータ１０７が置かれる。ターボファン１０７ａに吸い込み流を導く吸い込み案内口部材１０９は、主部枠体１０２に形成される。
【００１７】
制御装置１１０は、主部枠体１０２の前側上部に備えられる。この制御装置１１０により、空気清浄機の運転が制御される。表示装置（図示せず）は、制御装置１１０の近くに設けられる。
【００１８】
空気は、前パネル１０４の吸気口１１１から吸い込まれ、フィルタユニット１０５内を流通して塵埃の除去が行なわれる。また、空気に含まれる臭いやホルムアルデヒド等の成分物質を除去する。
【００１９】
気化フィルタユニット１０６は、塵埃や臭いやホルムアルデヒド等の成分物質が除去された空気に水分を加湿する。そして、ファンモータ１０７に吸い込まれた空気は、送風口１１２から空気清浄機の外部に送風される。
【００２０】
図２に沿って気化フィルタユニット１０６について説明する。
【００２１】
図１の前パネル１０４を空気清浄機本体１０１より取り外し、フィルタユニット１０５を取り外すことで、気化フィルタユニット１０６を空気清浄機本体１０１から容易に取り外すことができる。この気化フィルタユニット１０６は、気化フィルタ２０１が水受け容器２０２に装着されており、水受け容器２０２に気化に使用する水が入っている。この水受け容器２０２の蓋が２０３であり、気化フィルタ２０１の保持の役割をする。
【００２２】
水受け容器２０２の水に浸った気化フィルタ２０１が水を吸い上げて、気化フィルタ２０１は全体が常に水を保持しているため、濡れている状態である。
【００２３】
この状態で空気は、前パネル１０４の吸気口１１１から吸い込まれ、フィルタユニット１０５内を流通して、さらに気化フィルタ２０１を流通するその時に空気に水分を加湿する。
【００２４】
図３に沿って気化フィルタ２０１の構成について説明する。
図３の（ａ）は、気化フィルタ２０１の構成を詳細に示したものである。低圧損吸水性フィルタ３０１は、風が通り抜けるために、抵抗が少ないものが望ましく、かつ、水の吸い上げ力が大きく、また、吸い上げた水分を気化しやすい形状で保持すること、つまり、水分の表面積をできるだけ大きくなるように確保することが望まれる部品である。また、高吸水性材３０２は、低圧損吸水性フィルタ３０１より水の吸い上げ力が大きく、低圧損吸水性フィルタ３０１の両端３０２ａや天面３０２ｂに位置するように構成されている。
【００２５】
これにより、気化フィルタ２０１が水を吸い上げる時は、低圧損吸水性フィルタ３０１が水を吸い上げるより先に、高吸水性材３０２が高いところまで水を吸い上げ運ぶことが可能である。また、高さの到達点も低圧損吸水性フィルタ３０１より高吸水性材３０２の方が高いため、従来の低圧損吸水性フィルタ３０１のみで構成されているフィルタよりも気化フィルタの高さを上げることが可能である。このように、両端３０２ａに吸い上げられた水分は、天面３０２ｂに運ばれ水分を保持することができる。これにより気化フィルタ２０１は底面から水を吸い上げるが、両端から天面へ回り込むために、両端から中央へ。また、天面から底面へと水分を吸収することができるため、気化フィルタ２０１の高さを上げて気化量を確保することで、コンパクトな空気清浄機を提供できる。（図中の矢印が水分の移動を示す）
ここで使用した高吸水性材３０２は、気化フィルタ２０１の風の影響を受け難い所に位置するのであれば、圧力損失は気にしなくてすむため、高圧損のものでも使用できる。例えば、セラミックスの多孔質材を利用すれば、吸い上げ時間と高さは、約４倍ほど向上するため、高吸水性材３０２として利用できる。このような多孔質材のように、低圧損吸水性フィルタ３０１と異種の材質で構成するほかにも、同じ材質でもその形態が異なることで、吸い上げ力が異なることを利用することもできる。例えば、同じ材質での繊維でも、低圧損吸水性フィルタ３０１を不織布で構成し、高吸水性材３０２として水を保持し易くするために繊維表面に凹凸を設けたものも利用できる。更に、吸い上げ力の向上のために繊維の向きを吸い上げ方向と同じ向きにする方法も効果的である。また、高吸水性材３０２として吸水性ポリマーを利用する方法などがあり、これまで低圧損吸水性フィルタ３０１として利用できない吸い上げ力がある材料を高吸水性材３０２として利用することが可能となる。
【００２６】
図３の（ｂ）は、図３（ａ）の気化フィルタ２０１の構成を応用した例であり、天面３０２ｂの上に、低圧損吸水性フィルタ３０１を重ね、更にその上に天面３０２ｂを利用したものである。これによりさらに気化量を増加させることが可能となる。（図中の矢印が水分の移動を示す）この構造は、高吸水性材３０２の吸い上げ力の性能によるものの、気化フィルタ２０１の横幅２倍に増大させた時とほぼ同様な効果を得ることができる。
【図面の簡単な説明】
【００２７】
【図１】本発明の実施例を示すもので、空気清浄機の断面図。
【図２】本発明の実施例を示すもので、気化フィルタユニットの断面図。
【図３】本発明の実施例を示すもので、気化フィルタの詳細図。
【符号の説明】
【００２８】
１０１…空気清浄機本体、１０２…主部枠体、１０３…後部枠体、１０４…前パネル、１０５…フィルタユニット、１０６…気化フィルタユニット、１０７…ファンモータ、１０７ａ…ターボファン、１０７ｂ…電動機、１０８…ファンケーシング、１０９…吸い込み案内口部材、１１０…制御装置、１１１…吸気口、１１２…送風口、２０１…気化フィルタ、２０２…水受け容器、２０３…蓋、３０１…低圧損吸水性フィルタ、３０２…高吸水性材、３０２ａ…両端、３０２ｂ…天面。
【図１】
2008064407.tif 000003
【図２】
2008064407.tif 000004
【図３】
2008064407.tif 000005